(57)【要約】【課題】高い防水性と対衝撃性を備えた防水ケースを提供すること。【解決手段】防水ケース１では、下ケース３の底部３０上に電子ペーパー装置７を載置する。上ケース２を下ケース３上に被せて、下ケース３の固定具４を上ケース２の第二壁部２２に設けられている突出部２３に各々嵌合させる。このとき、第一緩衝部材５０の第一緩衝部５１により電子ペーパー装置７の底面が保持される。また、第一緩衝部材５０の第一撓み部５２の先端部が、上ケース２の第二壁部２２の下端部に形成されている嵌合溝２５に嵌合して押圧されて、嵌合溝２５の内部で撓んで第一の防水シールとなる。また、第二緩衝部材８０の第二緩衝部８１により、電子ペーパー装置７の上面が保持される。さらに、第二緩衝部材８０の第二撓み部８２の先端部が防水部材６０の嵌合溝６４に嵌合して、押圧されて、嵌合溝６４の内部で撓んで第二の防水シールとなる。【選択図】図６
2011176199.tif 000002
【特許請求の範囲】
【請求項１】
下ケースと上ケースとを嵌合させて固定具により固定して、被収納体を収納する防水ケースにおいて、
前記下ケースは、
底部と、
当該底部の周端部から上方に立設された第一壁部と、
前記底部と前記被収納体の底面との間で衝撃を吸収する第一緩衝部及び当該第一緩衝部から前記第一壁部の内面に沿って延設され前記第一壁部の上端部より上方に一部がはみ出した第一撓み部を備えた第一緩衝部材と
を備え、
前記上ケースは、蓋部と、
当該蓋部の周端部から下方に垂下され、前記第一壁部の上端部に下端部が当接する第二壁部と、
前記蓋部と前記被収納体の上面との間で衝撃を吸収する第二緩衝部及び当該第二緩衝部から延設され前記第二壁部の内面と平行に延設された第二撓み部を備えた第二緩衝部材と
を備え、
さらに、前記下ケースは、第一緩衝部材の内側に前記上ケースの第二撓み部の下端部が嵌合する嵌合溝を備えた防水部材を備え、
下ケースと上ケースとを嵌合させて前記固定具により固定した状態においては、前記第一緩衝部材の第一撓み部が前記上ケースの内面に当接して撓み、前記第二緩衝部材の第二撓み部が前記防水部材の嵌合溝に嵌合して撓み、二重に封止した状態となることを特徴とする防水ケース。
【請求項２】
前記被収納体は、上面に操作部を備えた電子機器であり、
前記上ケースの蓋部の前記操作部に対向した位置には、可撓性を有する透明シートの窓部が形成され、
当該透明シート上から前記操作部を押圧可能であることを特徴とする請求項１に記載の防水ケース。
【請求項３】
前記防水部材は、合成樹脂部材から構成され、
前記第一緩衝部材及び前記第二緩衝部材は、可撓性部材から構成されていることを特徴とする請求項１又は２に記載の防水ケース。
【発明の詳細な説明】
【技術分野】
【０００１】
本発明は、電子機器等を収納する防水ケースに関する。
【背景技術】
【０００２】
従来、電子機器は内部に水が進入すると電気回路がショートするので、電気機器を収納して保護する防水ケースが知られている。例えば、携帯電話用の防水ケースとしては、特許文献１に記載のものが提案されている。この防水ケースでは、上ケースと当接する下ケースの縁の部分に液密性のシール部材を設けている。また、このような構造の防水ケースの内部に緩衝材を設けて電子機器を衝撃から保護するようにしたものも知られている。
【先行技術文献】
【特許文献】
【０００３】
【特許文献１】特開２００４−１６３６０号公報
【発明の概要】
【発明が解決しようとする課題】
【０００４】
しかしながら、従来の防止ケースでは、防水性能にのみ着目したものでは、ケースの内部には緩衝材が無く、衝撃が電子機器に直接伝わるという問題点があった。このため電子機器に伝わる衝撃を和らげるために緩衝部材を別に設ける必要があった。
【０００５】
本発明は、上記課題を解決するためになされたものであり、高い防水性と対衝撃性を備えた防水ケースを提供することを目的とする。
【課題を解決するための手段】
【０００６】
上記目的を達成するために、本発明の第１の態様の防水ケースでは、下ケースと上ケースとを嵌合させて固定具により固定して、被収納体を収納する防水ケースにおいて、前記下ケースは、底部と、当該底部の周端部から上方に立設された第一壁部と、前記底部と前記被収納体の底面との間で衝撃を吸収する第一緩衝部及び当該第一緩衝部から前記第一壁部の内面に沿って延設され前記第一壁部の上端部より上方に一部がはみ出した第一撓み部を備えた第一緩衝部材とを備え、前記上ケースは、蓋部と、当該蓋部の周端部から下方に垂下され、前記第一壁部の上端部に下端部が当接する第二壁部と、前記蓋部と前記被収納体の上面との間で衝撃を吸収する第二緩衝部及び当該第二緩衝部から延設され前記第二壁部の内面と平行に延設された第二撓み部を備えた第二緩衝部材とを備え、さらに、前記下ケースは、第一緩衝部材の内側に前記上ケースの第二撓み部の下端部が嵌合する嵌合溝を備えた防水部材を備え、下ケースと上ケースとを嵌合させて前記固定具により固定した状態においては、前記第一緩衝部材の第一撓み部が前記上ケースの内面に当接して撓み、前記第二緩衝部材の第二撓み部が前記防水部材の嵌合溝に嵌合して撓み、二重に封止した状態となることを特徴とする。
【０００７】
この構成の防水ケースでは、下ケースと上ケースとを嵌合させて前記固定具により固定した状態においては、前記第一緩衝部材の第一撓み部が前記上ケースの内面に当接して撓み、前記第二緩衝部材の第二撓み部が前記防水部材の嵌合溝に嵌合して撓み、二重に封止した状態となるので、高い防水性と、耐衝撃性を実現できる。
【０００８】
また、前記被収納体は、上面に操作部を備えた電子機器であり、前記上ケースの蓋部の前記操作部に対向した位置には、可撓性を有する透明シートの窓部が形成され、当該透明シート上から前記操作部を押圧可能であるようにしても良い。
【０００９】
この構成の防水ケースでは、防水ケースに収納した電子機器の操作部を窓部から操作することができる。
【００１０】
また、前記防水部材は、合成樹脂部材から構成され、前記第一緩衝部材及び前記第二緩衝部材は、可撓性部材から構成されても良い。
【００１１】
この構成の防水ケースでは、第一緩衝部材及び第二緩衝部材により、被収納体を衝撃から守ることができる。
【図面の簡単な説明】
【００１２】
【図１】防水ケース１の斜視図である。
【図２】防水ケース１の平面図である。
【図３】防水ケース１の上ケース２を取った状態の斜視図である。
【図４】防水ケース１の下ケース３の斜視図である。
【図５】防水ケース１の図２に於けるＡ−Ａ線矢視方向断面図である。
【図６】図５の防水ケース１の断面図の部分拡大図である。
【図７】防水部材６０の斜視図である。
【図８】防水ケース１の内部を透視した斜視図ある。
【発明を実施するための形態】
【００１３】
以下、本発明に係る防水ケース１の実施形態について図面を参照して説明する。本実施の形態としては、被収納体として文書表示装置の一種である電子ペーパー装置を収納する防水ケース１を例に説明する。図１及び図２に示すように、防水ケース１は、平面視、長方形の箱状に形成されており、下ケース３と上ケース２とが固定具４により一体に固定されるようになっている。また、上ケース２には、窓部２１が設けられており、図３に示す電子ペーパー装置７の操作部７１を窓部２１から直接操作できるようになっている。
【００１４】
図３〜図７を参照して、下ケース３の構造を説明する。図３及び図４に示すように、下ケース３は、平面視、略長方形の底部３０と当該底部３０の外周部から当該底部３０と直交する方向へ立設された周壁である第一壁部３２とから構成されている。また、第一壁部３２の各外側面の中央部には、一対のヒンジ部３３に回転可能に支持された固定具４が設けられている。この固定具４は中央部に横長の開口部が設けられており、当該開口部が後述する上ケース２の突出部２３に嵌合して下ケース３に対して上ケース２が固定されるようになっている。
【００１５】
また、図４〜図６に示すように、下ケース３内には、第一壁部３２の内面に沿うように可撓性部材から構成された第一緩衝部材５０が一周設けられている。この第一緩衝部材５０は、下ケース３の底部３０と、電子ペーパー装置７の底面との間で衝撃を吸収する第一緩衝部５１と、当該第一緩衝部５１の外周部から前記第一壁部３２の内面に沿って延設され、前記第一壁部３２の上端部より上方に一部がはみ出した第一撓み部５２とを備えている。尚、第一緩衝部材５０の素材としては可撓性部材を用いることができ、その一例としては、ウレタン、ゲル、シリコンゴム等を用いることができる。
【００１６】
さらに、図４〜図７に示すように、下ケース３内には、断面Ｈ形状の防水部材６０が第一緩衝部材５０の第一撓み部５２に沿うように設けられている。この防水部材６０は、図６に示すように、外壁６１と内壁６２と中壁６３とから構成された断面Ｈ形状で、平面視、矩形状の枠部材である。尚、防水部材６０の材質の一例としては、ＡＢＳ等の合成樹脂部材を用いることができる。防水部材６０の外壁６１と内壁６２との間には、上ケース２内に設けられる第二緩衝部材８０の第二撓み部８２の先端部が嵌合する嵌合溝６４が形成されている。尚、下ケース３の材質としては、ＡＢＳ，ポリカーボネート等の合成樹脂を用いることができる。
【００１７】
次に、図１、図２、図５及び図６を参照して、上ケース２の構造を説明する。図１、図２、図５及び図６に示すように、上ケース２は、平面視、略長方形の蓋部２０と蓋部２０の外周部から当該蓋部２０と直交する方向へ垂下された周壁である第二壁部２２とから構成されている。また、第二壁部２２の各外側面の中央部には、下ケース３に設けられている固定具４の横長の開口部が嵌合する突出部２３が設けられている。さらに、図６に示すように、第二壁部２２の下端部には、嵌合溝２５が形成され、下ケース３の第一緩衝部材５０の第一撓み部５２の先端部が嵌合するようになっている。
【００１８】
また、上ケース２には、収納される電子ペーパー装置７の操作部７１（図３参照）に対向する位置に、窓部２１が設けられている。図５及び図６に示すように、窓部２１には、透明の合成樹脂の薄板から構成された透明シート２４が設けられている。この透明シート２４の材質としては、ポリエチレンテレフタレート（ＰＥＴ）等を用いることができる。従って、この透明シート２４の上から電子ペーパー装置７の操作部７１に設けられているボタン等を押下することが可能となっている。尚、上ケース２の材質としては、ＡＢＳ，ポリカーボネート等の透明の合成樹脂を用いるので、電子ペーパー装置７の表示画面７２（図３参照）を上ケース２外から視認することができる。
【００１９】
さらに、図５及び図６に示すように、上ケース２内には、第二壁部２２の内面に沿うように可撓性部材から構成された第二緩衝部材８０が一周設けられている。この第二緩衝部材８０は、上ケース２の蓋部２０と、電子ペーパー装置７の上面との間で衝撃を吸収する第二緩衝部８１と、当該第二緩衝部８１の外周部から前記第二壁部２２の内面に沿って延設された第二撓み部８２とを備えている。第二撓み部８２の先端部は、防水部材６０の嵌合溝６４に嵌合するようになっている。尚、第二緩衝部材８０の素材としては可撓性部材を用いることができ、その一例としては、ウレタン、ゲル、シリコンゴム等を用いることができる。
【００２０】
次に、上記のように構成された防水ケース１の使用方法について、図３、図５、図６及び図８を参照して説明する。防水ケース１に被収納体を収納する場合には、図３に示すように、下ケース３の底部３０上に被収納体である電子ペーパー装置７を載置する。次いで、図５、図６及び図８に示すように、上ケース２を下ケース３上に被せて嵌合させる。その後、下ケース３の第一壁部３２に４箇所設けられている固定具４を起こして、上ケース２の第二壁部２２に４箇所設けられている突出部２３に各々嵌合させる。
【００２１】
このとき、図６に示すように、下ケース３の第一緩衝部材５０の第一緩衝部５１により電子ペーパー装置７の底面が保持される。また、第一緩衝部材５０の第一撓み部５２の先端部が、上ケース２の第二壁部２２の下端部に形成されている嵌合溝２５に嵌合して押圧されて、嵌合溝２５の内部で撓んで第一の防水シールとなる。
【００２２】
また、上ケース２の第二緩衝部材８０の第二緩衝部８１により、電子ペーパー装置７の上面が保持される。さらに、第二緩衝部材８０の第二撓み部８２の先端部が防水部材６０の嵌合溝６４に嵌合して、押圧されて、嵌合溝６４の内部で撓んで第二の防水シールとなる。このときに、防水部材６０の外壁６１及び内壁６２の下端部が第一緩衝部材５０の第一緩衝部５１に押圧されているので、防水部材６０の下側からの水の進入を防ぐことが出来る。
【００２３】
上記実施の形態の防水ケース１では、電子ペーパー装置７を衝撃や振動から保護するために、電子ペーパー装置７の厚みに対応して、上ケース２及び下ケース３の内部空間の高さと、第一緩衝部材５０の第一緩衝部５１の厚み、第二緩衝部材８０の第二緩衝部８１の厚みを決定すれば良い。また、防水性を維持するために、第一緩衝部材５０の第一撓み部５２の上下方向（図６に於ける）の長さは、上ケース２及び下ケース３を嵌合したときに、第一緩衝部材５０の第一撓み部５２の先端部が、上ケース２の第二壁部２２の下端部に形成されている嵌合溝２５に嵌合して押圧されて嵌合溝２５の内部で撓む長さにすればよい。
【００２４】
また、同様に防水性を維持するために、第二緩衝部材８０の第二撓み部８２の上下方向（図６に於ける）の長さは、上ケース２及び下ケース３を嵌合したときに、第二緩衝部材８０の第二撓み部８２の先端部が防水部材６０の嵌合溝６４に嵌合して押圧されて内部で撓む長さにすればよい。
【００２５】
以上説明したように、防水ケース１では、図８に示すように防水ケース１内に電子ペーパー装置７を収納した状態で、耐衝撃性を確保し、防水性を二重に保ったまま、窓部２１から電子ペーパー装置７の操作部７１を押下することができる。また、上ケース２は、透明の構成樹脂で形成されているので、電子ペーパー装置７の表示画面７２を視認することができる。
【００２６】
本発明は上記の実施の形態に限られず、各種の変形が可能である。例えば、防水ケース１の形状は、平面視、長方形に限られず、内部に収納する装置の形状に合わせた形状とすれば良い。また、被収納体は電子ペーパー装置７に限られず、防水性を必要とする各種の機器を収納できる。さらに、上ケース２及び下ケース３の材質は合成樹脂に限られず、アルミニュウム合金等の金属で形成しても良い。上ケース２の材質を金属で形成した場合には、電子ペーパー装置７の表示画面７２を視認するための窓部を窓部２１と同様に、表示画面７２に対向する位置に形成すれば良い。また、固定具４の構造は、本実施の形態のものに限られず、上ケース２と下ケース３とを一体に固定できるものであれば、各種の構造のものを用いることができる。さらに、上ケース２上から電子ペーパー装置７の操作をしないのであれば、上ケース２の窓部２１を無くしても良い。また、防水部材６０は、ＡＢＳ等の合成樹脂部材に限られず、剛性の有るものであれば、アルミニウムのダイキャストや押出材等で構成しても良い。
【符号の説明】
【００２７】
１ 防水ケース
２ 上ケース
３ 下ケース
４ 固定具
７ 電子ペーパー装置
２０ 蓋部
２１ 窓部
２２ 第二壁部
２３ 突出部
２４ 透明シート
２５ 嵌合溝
３０ 底部
３２ 第一壁部
３３ ヒンジ部
５０ 第一緩衝部材
５１ 第一緩衝部
５２ 第一撓み部
６０ 防水部材
６１ 外壁
６２ 内壁
６３ 中壁
６４ 嵌合溝
７１ 操作部
７２ 表示画面
８０ 第二緩衝部材
８１ 第二緩衝部
８２ 第二撓み部
【図１】
2011176199.tif 000003
【図２】
2011176199.tif 000004
【図３】
2011176199.tif 000005
【図４】
2011176199.tif 000006
【図５】
2011176199.tif 000007
【図６】
2011176199.tif 000008
【図７】
2011176199.tif 000009
【図８】
2011176199.tif 000010